【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
式（１）：
【化１】
2019500469.tif 000001
（式中、３つのＲf基は同一または異なり、３つのＲf基は、−（ＣＦ2）n−（１≦ｎ≦６）；−（ＣＦ2）m−［ＯＣＦ（ＣＦ3）ＣＦ2］p−（１≦ｍ≦４及び１≦ｐ≦４）；及び−［（ＣＦ（ＣＦ3）−Ｏ）x−（ＣＦ2）k］−（１≦ｘ≦３及び１≦ｋ≦５）からなる群から選択される）のペルフルオロトリビニルトリアジンモノマーの共重合した単位を含むコポリマー。
【請求項２】
架橋したフルオロエラストマーの製造方法であって、前記方法が：
ａ．式（１）：
【化２】
2019500469.tif 000002
（式中、３つのＲf基は同一または異なり、３つのＲf基は、−（ＣＦ2）n−（ｎ＝１〜６）；−（ＣＦ2）m−［ＯＣＦ（ＣＦ3）ＣＦ2］p−（ｍ＝１〜４、ｐ＝１〜４）；及び−［（ＣＦ（ＣＦ3）−Ｏ）x−（ＣＦ2）k］−（１≦ｘ≦３及び１≦ｋ≦５）からなる群から選択される）のペルフルオロトリビニルトリアジンモノマーを準備する工程；
ｂ．１種または複数種のコモノマーを準備する工程；並びに
ｃ．前記式（１）のペルフルオロトリビニルトリアジンモノマーを１種または複数種の他のコモノマーと反応させて架橋したフルオロエラストマーを得る工程
を含む、方法。
【手続補正２】
【補正対象書類名】明細書
【補正対象項目名】００７６
【補正方法】変更
【補正の内容】
【００７６】
本発明の好ましい実施形態のいくつかを上で説明し、具体的に例示してきたが、本発明をこのような実施形態に限定することは意図されない。以下の特許請求の範囲に示される通りの本発明の範囲及び趣旨から逸脱することなしに、様々な変更を行うことができる。
以下に、本発明の好ましい態様を示す。
［１］  式（１）：
【化３】
2019500469.tif 000003
（式中、３つのＲf基は同一または異なり、３つのＲf基は、−（ＣＦ2）n−（１≦ｎ≦６）；−（ＣＦ2）m−［ＯＣＦ（ＣＦ3）ＣＦ2］p−（１≦ｍ≦４及び１≦ｐ≦４）；及び−［（ＣＦ（ＣＦ3）−Ｏ）x−（ＣＦ2）k］−（１≦ｘ≦３及び１≦ｋ≦５）からなる群から選択される）のペルフルオロトリビニルトリアジンモノマーの共重合した単位を含むコポリマー。
［２］  テトラフルオロエチレン（ＴＦＥ）；フッ化ビニリデン（ＶＦ２）；ヘキサフルオロプロピレン（ＨＦＰ）；フッ化ビニル（ＶＦ）；３−［１［ジフルオロ［（トリフルオロエテニル）オキシ］メチル］−１，２，２，２−テトラフルオロエトキシ］−２，２，３，３−テトラフルオロ−，メチルエステル（ＥＶＥ）；ペルフルオロ−２−（２−フルオロスルホニルエトキシ）プロピルビニルエーテル（ＰＳＥＰＶＥ）；ペルフルオロ−（長鎖ビニルエーテル）；エチレン（Ｅ）；プロピレン（Ｐ）；ペルフルオロブチルエチレン（ＰＦＢＥ）；ペルフルオロ（エチルビニルエーテル）（ＰＥＶＥ）；９，９−ジヒドロ−９−ヒドロキシペルフルオロ（３，６−ジオキサ−５−メチル−１−ノネン）（ＥＶＥ−ＯＨ）；１−プロパノール，３−［１［ジフルオロ［トリフルオロエテニルオキシ］メチル］−１，２，２，２−テトラフルオロエトキシ］−２，２，３，３−テトラフルオロ−，二水素リン酸塩（ＥＶＥ−Ｐ）；１，３−ジオキソール，４，５−ジフルオロ−２，２−ビス（トリフルオロメチル）（ＰＤＤ）；ペルフルオロ（プロピルビニルエーテル）（ＰＰＶＥ）；ペルフルオロ（メチルビニルエーテル）（ＰＭＶＥ）；及び２−（ジフルオロメチレン）−４，４，５−トリフルオロ−５−（トリフルオロメチル）−１，３−ジオキソラン（ＰＭＤ）からなる群から選択される１種または複数種のコモノマーの共重合した単位を更に含む、［１］に記載のコポリマー。
［３］  前記１種または複数種のコモノマーが、ＴＦＥ、ＨＦＰ、ＰＭＶＥ、ＰＰＶＥ、及びＶＦ２からなる群から選択される、［２］に記載のコポリマー。
［４］  １種または複数種の硬化部位モノマーの共重合した単位を更に含む、［１］に記載のコポリマー。
［５］  ブロモテトラフルオロ−１−ブテン（ＢＴＦＢ）；ヨードテトラフルオロ−１−ブテン（ＩＴＦＢ）；３−（１−［ジフルオロ（（トリフルオロエテニル）オキシ）メチル）−１，２，２，２，−テトラフルオロエトキシ）−２，２，３，３，−テトラフルオロプロパンニトリル（８−ＣＮＶＥ）；及び１，１，２，２−テトラフルオロ−２−（（１，１，１，２，３，３−ヘキサフルオロ−３−（（１，２，２−トリフルオロビニル）オキシ）プロパン−２−イル）オキシ）エタン−１−スルホニルアジド（８−ＳＡＶＥ）からなる群から選択される１種または複数種の硬化部位モノマーの共重合した単位を更に含む、［１］に記載のコポリマー。
［６］  前記ペルフルオロトリビニルトリアジンモノマー（１）とＴＦＥ又はＶＦ２との共重合した単位を含むジポリマー；
前記ペルフルオロトリビニルトリアジンモノマー（１）と、ＴＦＥ及びＨＦＰ；ＴＦＥ及びＶＦ２；ＴＦＥ及びＰＰＶＥ；又はＴＦＥ及びＰＭＶＥ；との共重合した単位を含むターポリマー；並びに
前記ペルフルオロトリビニルトリアジンモノマー（１）とＴＦＥ、ＶＦ２、及びＰＭＶＥとのコポリマー；
からなる群から選択される、［２］に記載のコポリマー。
［７］  コモノマーの総重量基準で、約０．５重量％〜約２５重量％のペルフルオロトリビニルトリアジンモノマー（１）の共重合した単位；及び相補的な、約９９．５重量％〜約７５重量％の１種または複数種のコモノマーの共重合した単位；を含む、［１］に記載のコポリマー。
［８］  コモノマーの総重量基準で、
約１重量％〜約１０重量％のペルフルオロトリビニルトリアジンモノマー（１）の共重合した単位；及び
相補的な、約９９重量％〜約９０重量％の１種または複数種のコモノマーの共重合した単位；
を含む、［１］に記載のコポリマー。
［９］  コモノマーの総重量基準で、約１重量％〜約５重量％のペルフルオロトリビニルトリアジンモノマー（１）の共重合した単位；及び、相補的な、約９９重量％〜約９５重量％の１種または複数種のコモノマーの共重合した単位；を含む、［１］に記載のコポリマー。
［１０］  未反応のペルフルオロビニル基を最大２００ｍｏｌ％の有限量で含む、［１］に記載のコポリマー。
［１１］  未反応のペルフルオロビニル基を１ｍｏｌ％〜１９９ｍｏｌ％の量で含む、［１］に記載のコポリマー。
［１２］  未反応のペルフルオロビニル基を１００ｍｏｌ％〜１５０ｍｏｌ％の量で含む、［１］に記載のコポリマー。
［１３］  架橋したフルオロエラストマーの製造方法であって、前記方法が：
ａ．式（１）：
【化４】
2019500469.tif 000004
（式中、３つのＲf基は同一または異なり、３つのＲf基は、−（ＣＦ2）n−（ｎ＝１〜６）；−（ＣＦ2）m−［ＯＣＦ（ＣＦ3）ＣＦ2］p−（ｍ＝１〜４、ｐ＝１〜４）；及び−［（ＣＦ（ＣＦ3）−Ｏ）x−（ＣＦ2）k］−（１≦ｘ≦３及び１≦ｋ≦５）からなる群から選択される）のペルフルオロトリビニルトリアジンモノマーを準備する工程；
ｂ．１種または複数種のコモノマーを準備する工程；並びに
ｃ．前記式（１）のペルフルオロトリビニルトリアジンモノマーを１種または複数種の他のコモノマーと反応させて架橋したフルオロエラストマーを得る工程
を含む、方法。